Podtech/llm-jp-corpus-v4-ja_patent huggingface dataset:
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
非接触で受電装置へ電力を供給する給電手段と、
非接触で他の給電装置より供給された電力を受電する受電手段と、
自装置をホスト側として前記受電装置と通信を確立した場合に、動作モードを前記他の給電装置から電力を受電する受電モードから、前記受電装置へ電力を供給する給電モードへ切り替える切替手段と
を有することを特徴とする給電装置。
【請求項２】
前記切替手段は、前記受電装置との通信が終了した場合に、前記動作モードを前記給電モードから前記受電モードへ切り替えることを特徴とする請求項１に記載の給電装置。
【請求項３】
自装置の２次電池の残容量を検出する検出手段をさらに有し、
前記切替手段は、前記残容量が第１閾値以上で、かつ前記自装置をホスト側として前記受電装置と通信を確立した場合に、前記動作モードを前記受電モードから前記給電モードへ切り替えることを特徴とする請求項１又は２に記載の給電装置。
【請求項４】
前記切替手段は、前記自装置の２次電池の残容量が第１閾値未満の場合には、前記受電モードから前記給電モードへの切り替えを行わないよう制御することを特徴とする請求項３に記載の給電装置。
【請求項５】
前記受電装置が備える２次電池の残容量の情報を受信する受信手段をさらに有し、
前記切替手段は、前記受電装置の前記２次電池の残容量が第２閾値未満の場合に、前記動作モードを前記受電モードから前記給電モードへ切り替えることを特徴とする請求項１又は２に記載の給電装置。
【請求項６】
前記切替手段は、前記受電装置の前記２次電池の残容量が第２閾値以上の場合には、前記受電モードから前記給電モードへの切り替えを行わないよう制御することを特徴とする請求項５に記載の給電装置。
【請求項７】
前記切替手段は、前記給電モードに設定されている場合において、前記受電装置の前記２次電池の残容量が第２閾値以上になった場合に、前記動作モードを前記給電モードから前記受電モードに切り替えることを特徴とする請求項５又は６に記載の給電装置。
【請求項８】
給電装置の制御方法であって、
非接触で受電装置へ電力を供給する給電ステップと、
非接触で他の給電装置より供給された電力を受電する受電ステップと、
自装置をホスト側として前記受電装置と通信を確立した場合に、動作モードを前記他の給電装置から電力を受電する受電モードから、前記受電装置へ電力を供給する給電モードへ切り替える切替ステップと
を含むことを特徴とする給電装置の制御方法。
【請求項９】
前記切替ステップは、前記受電装置との通信が終了した場合に、前記動作モードを前記給電モードから前記受電モードへ切り替えることを特徴とする請求項８に記載の給電装置の制御方法。
【請求項１０】
自装置の２次電池の残容量を検出する検出ステップをさらに含み、
前記切替ステップは、前記残容量が第１閾値以上で、かつ前記自装置をホスト側として前記受電装置と通信を確立した場合に、前記動作モードを前記受電モードから前記給電モードへ切り替えることを特徴とする請求項８又は９に記載の給電装置の制御方法。
【請求項１１】
前記切替ステップは、前記自装置の２次電池の残容量が第１閾値未満の場合には、前記受電モードから前記給電モードへの切り替えを行わないよう制御することを特徴とする請求項１０に記載の給電装置の制御方法。
【請求項１２】
前記受電装置が備える２次電池の残容量の情報を受信する受信ステップをさらに含み、
前記切替ステップは、前記受電装置の前記２次電池の残容量が第２閾値未満の場合に、前記動作モードを前記受電モードから前記給電モードへ切り替えることを特徴とする請求項８又は９に記載の給電装置の制御方法。
【請求項１３】
前記切替ステップは、前記受電装置の前記２次電池の残容量が第２閾値以上の場合には、前記受電モードから前記給電モードへの切り替えを行わないよう制御することを特徴とする請求項１２に記載の給電装置の制御方法。
【請求項１４】
前記切替ステップは、前記給電モードに設定されている場合において、前記受電装置の前記２次電池の残容量が第２閾値以上になった場合に、前記動作モードを前記給電モードから前記受電モードに切り替えることを特徴とする請求項１２又は１３に記載の給電装置の制御方法。
【請求項１５】
コンピュータを、
非接触で受電装置へ電力を供給するよう制御する給電制御手段と、
非接触で他の給電装置より供給された電力を受電するよう制御する受電制御手段と、
自装置をホスト側として前記受電装置と通信を確立した場合に、動作モードを前記他の給電装置から電力を受電する受電モードから、前記受電装置へ電力を供給する給電モードへ切り替える切替手段と
して機能させるためのプログラム。
【請求項１６】
前記切替手段は、前記受電装置との通信が終了した場合に、前記動作モードを前記給電モードから前記受電モードへ切り替えることを特徴とする請求項１５に記載のプログラム。
【請求項１７】
自装置の２次電池の残容量を検出する検出手段をさらに有し、
前記切替手段は、前記残容量が第１閾値以上で、かつ前記自装置をホスト側として前記受電装置と通信を確立した場合に、前記動作モードを前記受電モードから前記給電モードへ切り替えることを特徴とする請求項１５又は１６に記載のプログラム。
【請求項１８】
前記切替手段は、前記自装置の２次電池の残容量が第１閾値未満の場合には、前記受電モードから前記給電モードへの切り替えを行わないよう制御することを特徴とする請求項１７に記載のプログラム。
【請求項１９】
前記受電装置が備える２次電池の残容量の情報を受信する受信手段をさらに有し、
前記切替手段は、前記受電装置の前記２次電池の残容量が第２閾値未満の場合に、前記動作モードを前記受電モードから前記給電モードへ切り替えることを特徴とする請求項１５又は１６に記載のプログラム。
【請求項２０】
前記切替手段は、前記受電装置の前記２次電池の残容量が第２閾値以上の場合には、前記受電モードから前記給電モードへの切り替えを行わないよう制御することを特徴とする請求項１９に記載のプログラム。
【請求項２１】
前記切替手段は、前記給電モードに設定されている場合において、前記受電装置の前記２次電池の残容量が第２閾値以上になった場合に、前記動作モードを前記給電モードから前記受電モードに切り替えることを特徴とする請求項１９又は２０に記載のプログラム。
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
一組の金型と、
前記一組の金型に配置される金属パイプ材料に電気的に接続可能な電極と、
前記電極が前記金属パイプ材料に電気的に接続された状態において、前記電極を介して前記金属パイプ材料に通電可能な電力供給部と、
前記電力供給部と前記電極との間に電気的に接続され、前記電力供給部により通電されることによって前記電極側から吸熱すると共に前記電力供給部側に放熱する通電放熱部と、を備える、
成形装置。
【請求項２】
前記電力供給部は、
電力を出力する電源と、
前記電源によって出力された電力を伝送するブスバーと、
前記ブスバーを冷却する冷却部と、を有し、
前記通電放熱部は、前記ブスバーと前記電極との間に電気的に接続されている、
請求項１に記載の成形装置。
【請求項３】
前記通電放熱部は、前記電極に接触している、
請求項１又は２に記載の成形装置。
【請求項４】
前記通電放熱部は、前記電力供給部と前記電極との間に複数並列に電気的に接続されている、
請求項１〜３の何れか一項に記載の成形装置。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御可能な遊技機において、
枠状の基枠部と、前記基枠部に対して開閉可能な開閉枠部とを含む遊技機枠を備え、
前記遊技機枠は、
前記基枠部と前記開閉枠部とが対向する上下左右の対向縁部のうち上側で左右方向に延びる上側対向縁部に、前記開閉枠部の前記基枠部に対する閉鎖状態を維持可能であると共に解除可能な上側ロック機構を備え、
前記上側ロック機構は、前記上側対向縁部のうち左右方向の中央部に設けられていることを特徴とする遊技機。
【手続補正２】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御可能な遊技機において、
枠状の基枠部と、前記基枠部に対して開閉可能な開閉枠部とを含む遊技機枠を備え、
前記遊技機枠は、
前記基枠部と前記開閉枠部とが対向する上下左右の対向縁部のうち上側で左右方向に延びる上側対向縁部に、前記開閉枠部の前記基枠部に対する閉鎖状態を維持可能であると共に解除可能な上側ロック機構を備え、
前記上側ロック機構は、前記上側対向縁部のうち左右方向の中央部に設けられていることを特徴とする遊技機である。
【手続補正書】
【提出日】令和2年2月24日(2020.2.24)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御可能な遊技機において、
枠状の基枠部と、前記基枠部の前面側に位置する前枠部とを含む遊技機枠と、
所定の表示手段と、
前記表示手段よりも上方に配されている演出手段の特定部分と、を備え、
前記遊技機枠は、
当該遊技機枠の内部に設けられていて遊技球が流下可能な遊技領域を視認可能にする窓部材と、
前記窓部材よりも上方に位置していて当該遊技機枠の上部を装飾する上部装飾部と、を備え、
前記演出手段の特定部分は、前記窓部材の上方部分の後方に配されていて、
前記上部装飾部は、
その下端部の少なくとも一部を、後方に向かって斜め上方に延びる傾斜面にしていて、
前記傾斜面に沿って後方に向かって斜め上方に延びる仮想直線が、前記窓部材の上端位置と一致する又は略一致するように延びていて、
その下端部のうち前側に位置する前側下端部分と、前記下端部のうち後側に位置する後側下端部分と、を備え、
前記前側下端部分が前記窓部材の上方部分よりも下方に位置している一方、前記後側下端部分が前記窓部材の上方部分よりも上方に位置していることにより、前記演出手段の特定部分を視認できるように構成されていることを特徴とする遊技機。
【請求項２】
請求項１に記載の遊技機において、
前記演出手段の特定部分は、前記遊技領域よりも上方に位置していることを特徴とする遊技機。
【手続補正２】
【補正対象書類名】明細書
【補正対象項目名】０００５
【補正方法】変更
【補正の内容】
【０００５】
しかしながら上記文献に記載の遊技機のように、近年の上部装飾部には、枠可動部材が配置されたり、大きな装飾部材や発光部材等が配置されることで、上部装飾部が大型化する傾向がある。そのため、上部装飾部の下端部により、演出手段の特定部分を視認難いおそれがあった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、演出手段の特定部分を視認し易くすることが可能な遊技機を提供することにある。
【手続補正４】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御可能な遊技機において、
枠状の基枠部と、前記基枠部の前面側に位置する前枠部とを含む遊技機枠と、
所定の表示手段と、
前記表示手段よりも上方に配されている演出手段の特定部分と、を備え、
前記遊技機枠は、
当該遊技機枠の内部に設けられていて遊技球が流下可能な遊技領域を視認可能にする窓部材と、
前記窓部材よりも上方に位置していて当該遊技機枠の上部を装飾する上部装飾部と、を備え、
前記演出手段の特定部分は、前記窓部材の上方部分の後方に配されていて、
前記上部装飾部は、
その下端部の少なくとも一部を、後方に向かって斜め上方に延びる傾斜面にしていて、
前記傾斜面に沿って後方に向かって斜め上方に延びる仮想直線が、前記窓部材の上端位置と一致する又は略一致するように延びていて、
その下端部のうち前側に位置する前側下端部分と、前記下端部のうち後側に位置する後側下端部分と、を備え、
前記前側下端部分が前記窓部材の上方部分よりも下方に位置している一方、前記後側下端部分が前記窓部材の上方部分よりも上方に位置していることにより、前記演出手段の特定部分を視認できるように構成されていることを特徴とする遊技機である。
【手続補正５】
【補正対象書類名】明細書
【補正対象項目名】０００８
【補正方法】変更
【補正の内容】
【０００８】
本発明の遊技機によれば、演出手段の特定部分を視認し易くすることが可能である。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御可能な遊技機において、
第１枠部材と、前記第１枠部材に対して開閉可能な第２枠部材とを含む遊技機枠と、
前記第２枠部材を前記第１枠部材に対して回動自在に軸支するヒンジ手段と、を備え、
前記ヒンジ手段は、
前記第１枠部材に取付けられている固定側ヒンジ部材と、
前記第２枠部材に取付けられている回動側ヒンジ部材と、を備え、
前記固定側ヒンジ部材又は前記回動側ヒンジ部材の何れか一方は、平面状に形成されている平面部と、前記平面部から凸状に形成されている凸部と、を備え、
前記固定側ヒンジ部材又は前記回動側ヒンジ部材の何れか他方は、前記第２枠部材が前記ヒンジ手段の回動中心周りに回動する際に、前記凸部に対して摺動可能なものであり、
前記第２枠部材の回動に従って、前記固定側ヒンジ部材又は前記回動側ヒンジ部材の何れか他方のうち前記凸部に当接される位置と前記ヒンジ手段の回動中心との間の距離が、変化するように前記凸部が形成されていて、
前記凸部は、上方から見た場合で円弧状に形成されていて、且つ当該凸部の曲率半径の中心が前記ヒンジ手段の回動中心側に設けられているものであることを特徴とする遊技機。 
【手続補正２】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御可能な遊技機において、
第１枠部材と、前記第１枠部材に対して開閉可能な第２枠部材とを含む遊技機枠と、
前記第２枠部材を前記第１枠部材に対して回動自在に軸支するヒンジ手段と、を備え、
前記ヒンジ手段は、
前記第１枠部材に取付けられている固定側ヒンジ部材と、
前記第２枠部材に取付けられている回動側ヒンジ部材と、を備え、
前記固定側ヒンジ部材又は前記回動側ヒンジ部材の何れか一方は、平面状に形成されている平面部と、前記平面部から凸状に形成されている凸部と、を備え、
前記固定側ヒンジ部材又は前記回動側ヒンジ部材の何れか他方は、前記第２枠部材が前記ヒンジ手段の回動中心周りに回動する際に、前記凸部に対して摺動可能なものであり、
前記第２枠部材の回動に従って、前記固定側ヒンジ部材又は前記回動側ヒンジ部材の何れか他方のうち前記凸部に当接される位置と前記ヒンジ手段の回動中心との間の距離が、変化するように前記凸部が形成されていて、
前記凸部は、上方から見た場合で円弧状に形成されていて、且つ当該凸部の曲率半径の中心が前記ヒンジ手段の回動中心側に設けられているものであることを特徴とする遊技機である。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
生体センサにより検出された生体情報を取得する生体情報取得部と、
動きセンサにより検出された生体の動き情報を取得する動き情報取得部と、
前記生体情報が予め設定した正常範囲外に変動したか否かを判定する変動判定部と、
前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部とを備え、
前記生体情報は、前記生体の血圧を一心拍ごとに検出したものである、生体情報記録装置。
【請求項２】
前記記録制御部は、
前記生体情報が前記正常範囲外に変動した場合に当該生体情報の記録を開始する記録開始部と、
前記生体情報の変動期間と対応する期間に前記生体の動き情報が検出された場合には、前記記録された生体情報を削除する削除部と
を備える、請求項１に記載の生体情報記録装置。
【請求項３】
前記生体情報は、前記生体の心臓または呼吸の周期に連動して変化する波形を連続的に検出したものである、請求項１または２に記載の生体情報記録装置。
【請求項４】
前記生体の動き情報は、前記生体の動きを加速度センサにより検出されたものである、請求項１、２、または３のいずれかに記載の生体情報記録装置。
【請求項５】
呼吸センサから前記生体の呼吸状態を表す情報を取得する呼吸情報取得部を、さらに具備し、
前記記録制御部は、
前記呼吸センサから取得した呼吸状態を表す情報をもとに、前記生体情報の前記正常範囲外への変動が呼吸変動によるものか否かを判定する呼吸変動判定部と、
前記生体情報の前記正常範囲外への変動が前記呼吸変動によるものと判定された場合には、前記生体情報の記録を行わないように制御する第１の制御部と
を備える、請求項１、２、３、または４のいずれかに記載の生体情報記録装置。
【請求項６】
呼吸センサから前記生体の呼吸状態を表す情報を取得する呼吸情報取得部を、さらに具備し、
前記記録制御部は、
前記呼吸センサから取得した呼吸状態を表す情報をもとに、前記生体の無呼吸の期間を検出する無呼吸期間検出部と、
前記動きセンサにより前記生体が動いていることが検出された場合でも、前記無呼吸期間検出部により検出された無呼吸期間の終了直後の呼吸期間に血圧センサにより検出された血圧が上昇することが検出された場合には、前記血圧センサにより検出された血圧を記録する第２の制御部と
を備える、請求項１に記載の生体情報記録装置。
【請求項７】
生体センサにより、生体から生体情報を検出し、
動きセンサにより、前記生体の動き情報を検出し、
前記生体情報が予め設定した正常範囲外に変動したか否かを判定部により判定し、
記録制御部により、前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御し、
前記生体情報は、前記生体の血圧を一心拍ごとに検出したものである、生体情報記録方法。
【請求項８】
生体情報を検出する生体センサと、
前記生体の動き情報を検出する動きセンサと、
前記生体情報が予め設定した正常範囲外に変動したか否かを判定する変動判定部と、
前記生体情報が前記正常範囲外に変動した場合でかつ当該生体情報の変動期間と対応する期間に前記生体の動き情報が検出されない場合に前記生体情報の記録を行い、前記生体情報が前記正常範囲外に変動した場合でかつ当該生体情報の変動期間と対応する期間に前記生体の動き情報が検出された場合には前記生体情報の記録を行わないように制御する記録制御部と
を備え、
前記生体情報は、前記生体の血圧を一心拍ごとに検出したものである、生体情報記録装置。
【請求項９】
生体情報記録装置と、この生体情報記録装置に通信ネットワークを介して接続されるサーバ装置とを備えるシステムであって、
前記生体情報記録装置は、
生体センサにより検出された生体情報を取得してメモリに記録する記録部と、
前記取得された生体情報を前記サーバ装置へ送信する生体情報送信部と、
動きセンサにより検出された前記生体の動き情報を前記サーバ装置へ送信する動き情報送信部と、
を備え、
前記サーバ装置は、
前記生体情報が予め設定した正常範囲外に変動したか否かを判定する変動判定部と、
前記変動判定部による判定結果と、前記動き情報とに基づいて、前記生体情報の変動期間と対応する期間に前記生体の動き情報が検出された場合には、前記変動期間に対応する生体情報を前記生体情報記録装置のメモリから削除させる削除制御部と
を備え、
前記生体情報は、前記生体の血圧を一心拍ごとに検出したものである、システム。
【請求項１０】
請求項１乃至６のいずれかに記載の生体情報記録装置が備える各部としてコンピュータを機能させるプログラム。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
脈波を時間的に連続して検出する検出部と、
第１生体情報を間欠的に測定する測定部と、
前記第１生体情報によって前記脈波を校正し、前記脈波から第２生体情報を算出する算出部と、を備え、
前記検出部と前記測定部と前記算出部とは同一部位に配置される生体情報測定装置。
【請求項２】
前記検出部と前記測定部とは同一筐体に含まれる請求項１に記載の生体情報測定装置。
【請求項３】
前記検出部と前記測定部とを物理的に接続して一体化する接続部をさらに備える請求項１または２に記載の生体情報測定装置。
【請求項４】
前記検出部は生体の手首に配置され、前記測定部は前記検出部よりも上腕側に配置される請求項１乃至３のいずれか１項に記載の生体情報測定装置。
【請求項５】
腕の延伸方向について、前記検出部の長さは、前記測定部の長さより小さい幅を有する請求項４に記載の生体情報測定装置。
【請求項６】
前記検出部の手のひら側に配置すべき第１部分の高さと、前記測定部の手のひら側に配置すべき第３部分の高さとが異なる請求項１乃至５のいずれか１項に記載の生体情報測定装置。
【請求項７】
前記第３部分の高さは前記第１部分の高さより大きい請求項６に記載の生体情報測定装置。
【請求項８】
前記検出部の手の甲側に配置すべき第２部分の高さと、前記測定部の手の甲側に配置すべき第４部分の高さとが異なる請求項１乃至７のいずれか１項に記載の生体情報測定装置。
【請求項９】
前記検出部の腕の表面からの高さは、前記測定部の腕の表面からの高さとは腕の配置されるどの位置でも異なる請求項１乃至８のいずれか１項に記載の生体情報測定装置。
【請求項１０】
前記測定部は、前記検出部から得られる第２生体情報よりも精度よく第１生体情報を測定する請求項１乃至９のいずれか１項に記載の生体情報測定装置。
【請求項１１】
前記検出部は、前記脈波を一拍ごとに検出し、
前記第１生体情報及び前記第２生体情報は血圧である請求項１乃至１０のいずれか１項に記載の生体情報測定装置。
【請求項１２】
前記検出部は、前記脈波として圧脈波を検出する請求項１乃至１１のいずれか１項に記載の生体情報測定装置。
【請求項１３】
脈波を検出する検出部と第１生体情報を測定する測定部と前記脈波から第２生体情報を算出する算出部とを物理的に接続して一体化している生体情報測定装置での生体情報測定方法であって、
前記脈波を時間的に連続して検出し、
前記第１生体情報を間欠的に測定し、
前記第１生体情報によって前記脈波を校正し、前記脈波から第２生体情報を算出することを備え、
前記検出部と前記測定部と前記算出部とは同一部位に配置される生体情報測定方法。
【請求項１４】
前記測定部は、カフ圧力の時間変化と脈波信号の時間変化とに基づいて前記第１生体情報を間欠的に測定する請求項１乃至１２のいずれか１項に記載の生体情報測定装置。
【請求項１５】
前記測定部は、カフ圧力の時間変化と脈波信号の時間変化とに基づいて前記第１生体情報を間欠的に測定する請求項１３に記載の生体情報測定方法。
【請求項１６】
コンピュータを、請求項１乃至１２、または１４のいずれか１項に記載の生体情報測定装置として機能させるためのプログラム。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
心拍に連動して変化する一心拍ごとの血圧値の時系列データを得る血圧測定部と、
前記時系列データから１つのサージを含むサージ区間を１以上検出する検出部と、
前記サージごとに１以上の特徴量を抽出する抽出部と、
前記特徴量に基づいてサージを分類する分類部と、
を備え、
前記抽出部は、前記サージが発生している期間と、前記期間において血圧が変動した量とを前記特徴量として抽出する血圧測定装置。
【請求項２】
前記分類部は、前記特徴量の数以下で１以上を次元数とし、次元に対応する特徴量を軸とする前記次元数の空間に前記サージをマッピングする請求項１に記載の血圧測定装置。
【請求項３】
前記抽出部は、前記サージが開始してから前記サージがピークになるまでの上昇時間と、前記サージがピークになってから前記サージが終了するまでの下降時間と、前記上昇時間において血圧が変動した量と、を前記特徴量として抽出する請求項１に記載の血圧測定装置。
【請求項４】
前記検出部は、前記時系列データのうちの収縮期血圧、拡張期血圧、平均血圧、及び脈圧の内の少なくとも１つの極大値をピーク点とし、前記ピーク点の直前の極小値を開始点とし、前記ピーク点の直後の極小値になる以前の点であり前記直後の極小値との差がある値以下になった点を終了点とする場合に、前記ピーク点での血圧値と前記開始点での血圧値の差が閾値より大きく、かつ、前記ピーク点と前回開始点との時間差がある第１期間より大きく、かつ、前記ピーク点と前記終了点との時間差がある第２期間よりも大きい場合に、前記開始点から前記ピーク点を挟み前記終了点までの区間がサージ区間であると検出する請求項１乃至３のいずれか１項に記載の血圧測定装置。
【請求項５】
前記分類部が分類したサージを、特徴量を軸にして可視化する可視化部をさらに備える請求項１乃至４のいずれか１項に記載の血圧測定装置。
【請求項６】
前記特徴量の統計量を算出する算出部をさらに備える請求項１乃至４のいずれか１項に記載の血圧測定装置。
【請求項７】
前記分類部が分類したサージを、前記特徴量の統計量を軸にして可視化する可視化部をさらに備える請求項６に記載の血圧測定装置。
【請求項８】
前記統計量に対応して予め設定された危険性と関連付けられている、統計量とを比較される閾値に基づいて生体の危険度を判定する判定部をさらに備える請求項６に記載の血圧測定装置。
【請求項９】
前記サージを前記危険度に応じて可視化する可視化部をさらに備え、前記閾値に対応する危険水準を設定してサージが危険かどうか区別する請求項８に記載の血圧測定装置。
【請求項１０】
投薬記録に基づいて、検出された前記サージが、投薬されている期間のものかを判定する判定部をさらに備える請求項１乃至７のいずれか１項に記載の血圧測定装置。
【請求項１１】
投薬されている期間かどうかで分けて前記サージを可視化する可視化部をさらに備える請求項１０に記載の血圧測定装置。
【請求項１２】
前記血圧測定部は、複数のユーザ分の時系列データを得て、
前記可視化部は、ユーザごとに前記サージを可視化する請求項５、７、９、１１のいずれか１項に記載の血圧測定装置。
【請求項１３】
前記サージの発生頻度を算出する頻度算出部と、
サージの発生頻度と無呼吸低呼吸指数との予め取得した関係から、前記発生頻度に基づいて無呼吸低呼吸指数を算出する指数算出部と、をさらに備える請求項１乃至１１のいずれか１項に記載の血圧測定装置。
【請求項１４】
心拍に連動して変化する一心拍ごとの血圧値の時系列データを得、
前記時系列データから１つのサージを含むサージ区間を１以上検出し、
前記サージごとに１以上の特徴量を抽出し、
前記特徴量に基づいてサージを分類し、
前記特徴量を抽出することは、前記サージが発生している期間と、前記期間において血圧が変動した量とを前記特徴量として抽出する血圧測定方法。
【請求項１５】
コンピュータを、請求項１乃至１３のいずれか１項に記載の血圧測定装置として機能させるためのプログラム。
【手続補正２】
【補正対象書類名】明細書
【補正対象項目名】００６９
【補正方法】変更
【補正の内容】
【００６９】
サージ検出結果ＤＢ１１０２は、血圧測定部１０１及びサージ検出部１１１０で検出した特徴点及び特徴量のデータを記録する。本実施形態では、記録を取る対象は、個人の１機会、個人の複数機会、被験者全員の１機会がある。特徴点及び特徴量は、第１の実施形態で説明したものと同様である。サージ検出結果ＤＢ１１０２が記憶するデータの一例は後に図１２を参照して説明する。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
心拍に連動して変化する一心拍ごとの血圧値の時系列データから、血圧サージを特徴付ける特徴点及び特徴量に基づいて、血圧サージの血圧波形を複数のパタンの中から１以上のパタンに分類する分類部と、
分類されたパタンのうちの１つが選択された場合に、選択されたパタンに対応する波形を表示する、もしくは、前記波形が前記時系列データのどの期間に該当するかを示す表示部と、を備える情報処理装置。
【請求項２】
前記分類されたパタンごとにそれぞれを特徴付ける数値を作成する作成部をさらに備える請求項１に記載の情報処理装置。
【請求項３】
前記時系列データを可視化して表示する可視化部をさらに備える請求項１または２に記載の情報処理装置。
【請求項４】
前記パタンを分類する観点を受け付ける観点受付部をさらに備える請求項１乃至３のいずれか１項に記載の情報処理装置。
【請求項５】
前記分類されたパタンのうちから所望の対象を受け付ける対象受付部をさらに備える請求項１乃至４のいずれか１項に記載の情報処理装置。
【請求項６】
心拍に連動して変化する一心拍ごとの血圧値の時系列データから、血圧サージを特徴付ける特徴点及び特徴量に基づいて、血圧サージの血圧波形を複数のパタンの中から１以上のパタンに分類し、
分類されたパタンのうちの１つが選択された場合に、選択されたパタンに対応する波形を表示する、もしくは、前記波形が前記時系列データのどの期間に該当するかを示すこと、を備える情報処理方法。
【請求項７】
コンピュータを、請求項１乃至５のいずれか１項に記載の情報処理装置として機能させるためのプログラム。
【請求項８】
前記特徴点は、前記血圧サージの開始点、ピーク点、及び終了点のうちの少なくとも１つであり、
前記特徴量は、（１）特徴点同士の時間差、（２）特徴点同士の血圧値の変動量、（３）収縮期血圧値を連結した包絡線によって定まる面積、（４）血圧値が上昇する時または下降する時の傾き、その変動量、及びその変動時間、及び（５）ある血圧基準値を超えている総時間、のうちの少なくとも１つである、請求項１乃至５のいずれか１項に記載の情報処理装置。
【手続補正２】
【補正対象書類名】明細書
【補正対象項目名】００３０
【補正方法】変更
【補正の内容】
【００３０】
以上のスムージング処理を済ませた後、図６に示すように、ＳＢＰの時系列データで極大値をもつピーク点Ｐ２を選択する。通常このピーク点Ｐ２は複数発見される。次に、このピーク点Ｐ２よりも時間的に前に極小値をもつ極小点Ｐ１を探し、極小点Ｐ１が見つかった場合には、例えば、次の条件に進む。Ｐ２の血圧値とＰ１の血圧値との差分Ｌ１があるしきい値（例えば、２０ｍｍＨｇ）よりも大きいかを判定する。小さい場合には血圧サージではないと判定する。次に、ピーク点Ｐ２と極小点Ｐ１との時間差Ｔ１がある期間（例えば、５心拍）よりも大きいかを判定し、大きい場合にはＰ１が血圧サージの開始点であると判定する。次にピーク点Ｐ２よりも未来の時刻で微分値がある値（例えば、−０．２ｍｍＨｇ／秒）よりも大きくなる点Ｐ４を求める。次に、点Ｐ２と点Ｐ４との時間差Ｔ３がある期間（例えば、７心拍）よりも大きいかを判定し、大きい場合には点Ｐ４が血圧サージの終了点であると判定する。ここで大きい場合には、これら点Ｐ２、点Ｐ１、点Ｐ４で血圧サージを形成すると判定する。この場合に、血圧サージ検出装置１０３は、点Ｐ１から点Ｐ４までを血圧サージと見なす。
【手続補正３】
【補正対象書類名】明細書
【補正対象項目名】００４４
【補正方法】変更
【補正の内容】
【００４４】
分類観点受付部９０２は、血圧サージの分類についてのユーザからの指示を受け付ける。このユーザからの指示は例えば、血圧サージのリスクの度合、血圧サージの発生要因、及びサージの血圧波形の形状がある。ここでリスクとは、脳心血管イベントの発症の危険性のことであるとする。
【手続補正４】
【補正対象書類名】明細書
【補正対象項目名】００４５
【補正方法】変更
【補正の内容】
【００４５】
パタン分類部９０３は、分類観点受付部９０２からの指示に応じて、サージの血圧波形の形状で血圧サージ検出結果ＤＢ９０１に記憶されている血圧サージ検出結果を分類する。サージの血圧波形の形状（パタン）のみで分類する場合には、教師なしのクラスタリングでパタン分類する。なお、１つのサージの血圧波形が複数のパタンに属することもありうる。
【手続補正５】
【補正対象書類名】明細書
【補正対象項目名】００４８
【補正方法】変更
【補正の内容】
【００４８】
選択パタン波形表示部９０８は、確認対象パタン受付部９０５でユーザに選択されたパタンのサージの血圧波形をモニタ等に表示する。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
１つまたは複数のセンサによって圧脈波を検出することで一心拍ごとの血圧値を含む時系列血圧データを得る血圧計と、
前記時系列血圧データの１以上の特徴量を抽出する抽出部と、
前記特徴量に基づいて、前記時系列血圧データがどの程度正確に血圧値を示しているかを示す信頼度を前記特徴量で定まる時間区間ごとに算出する算出部と、
を備える血圧測定装置。
【請求項２】
前記抽出部は、前記圧脈波が安定しているかを示す安定性特徴量、前記１つまたは複数のセンサと測定部位との接触状態が正常であるかを示すセンサ接触状態特徴量、及び計測開始時と所望の計測時刻との間での前記圧脈波の類似度を示す類似度特徴量のうちの少なくとも１つの特徴量を抽出し、
前記算出部は、前記少なくとも１つの特徴量に基づいて前記信頼度を算出する請求項１に記載の血圧測定装置。
【請求項３】
前記圧脈波が安定していると判定され、かつ前記接触状態が正常であると判定された場合に、さらに前記類似度がしきい値よりも高いと判定された場合には、前記算出部はこの時間区間での前記信頼度を高いと設定する請求項２に記載の血圧測定装置。
【請求項４】
１つまたは複数のセンサによって圧脈波を検出することで一心拍ごとの血圧値を含む時系列血圧データを得、
前記時系列血圧データの１以上の特徴量を抽出し、
前記特徴量に基づいて、前記時系列血圧データがどの程度正確に血圧値を示しているかを示す信頼度を前記特徴量で定まる時間区間ごとに算出すること、
を備える血圧測定方法。
【請求項５】
前記抽出部は、
チャンネルごとにトノグラムのＤＣ成分の１心拍前との変化量を算出し、そのチャンネルごとの変化量を全てのチャンネルで総和した変化量総和に基づいて算出される、前記圧脈波が安定しているかを示す安定性特徴量、
トノグラムのＡＣ成分の出力値が極大となるチャンネルと、トノグラムのＡＣ成分の出力値が極大となるチャンネルの前後の数チャンネルの間でのＡＣ成分の振幅差と、トノグラムのＡＣ成分の出力値が極大となるチャンネルの前後の数チャンネルの間でのＤＣ成分の振幅差との３つの特徴量に基づいて、前記１つまたは複数のセンサと測定部位との接触状態が正常であるかを示すセンサ接触状態特徴量、及び
計測開始時と所望の計測時刻との間での前記圧脈波の類似度を示す類似度特徴量のうちの少なくとも１つの特徴量を抽出し、
前記算出部は、前記少なくとも１つの特徴量に基づいて前記信頼度を算出する請求項１に記載の血圧測定装置。
【請求項６】
コンピュータを、請求項１乃至３、及び５のいずれか１項に記載の血圧測定装置として機能させるためのプログラム。
【手続補正２】
【補正対象書類名】明細書
【補正対象項目名】００４８
【補正方法】変更
【補正の内容】
【００４８】
さらに、圧力値から血圧値への変換は、較正時のトノグラム情報から算出されるため、各拍のトノグラム情報による信頼度評価だけでは、血圧値の信頼性を評価し切れていないが、上記のように類似度を判定条件に組み込むことで、通常測定開始時事に行う較正時でのトノグラムとの類似度を評価することで、より血圧値が正しいかの信頼度を得ることができるようになる。例えば、測定の途中で類似度以外の判定条件で信頼度が高くなる場合でも、較正時とのトノグラムが類似していないと正しい血圧値が算出されないため信頼度を低くする算出が可能になり、本実施形態の血圧測定装置の類似度を考慮した信頼度はより正確であることが分かる。
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
被測定者の血圧を測定する血圧測定部と、
前記血圧測定部による血圧測定時に、前記被測定者が発する生体音を検出する音検出部と、
前記血圧測定部が測定した血圧と前記音検出部が検出した前記生体音とが、時間情報により関係付けられて記録される記録部と、
を具備し、
前記音検出部は、音を検出するためのマイクロフォンを備え、
前記マイクロフォンは、前記生体音として、前記被測定者の口から発せられるいびき、咳、くしゃみ、しゃっくり、寝言及び歯ぎしりのうち少なくとも１つを含み、かつ、測定される血圧値に影響を及ぼす生体音を検出し、
前記血圧測定部は、時間間隔を空けた複数回の血圧測定を行う血圧測定モードを有し、
前記血圧測定モードで血圧測定を行う際に、前記血圧測定毎の開始前に、前記マイクロフォンによる前記生体音の録音が開始される、
音検出機能付き血圧測定装置。
【請求項２】
前記血圧測定部は、前記被測定者に装着するカフを備え、
前記マイクロフォンは、前記カフに回転調整機構を介して回転可能に取り付けられる、請求項１に記載の音検出機能付き血圧測定装置。
【請求項３】
前記血圧測定装置と一体的に構成されるカフを備え、
前記マイクロフォンは、前記血圧測定装置が上腕に装着された時に、前記被測定者の口に指向性が向くように、前記血圧測定装置または、一体的に構成された前記カフのいずれかに設けられる、請求項１に記載の音検出機能付き血圧測定装置。
【請求項４】
被測定者の血圧を測定する血圧測定過程と、
前記血圧測定毎の開始前に開始され、血圧測定時に被測定者の口から発せられるいびき、咳、くしゃみ、しゃっくり、寝言及び歯ぎしりのうち少なくとも１つを含み、かつ、測定される血圧値に影響を及ぼす生体音を検出する音検出過程と、
前記音検出過程で検出した前記生体音と前記血圧測定過程で測定した血圧とが時間情報により関係付けられて記録される記録過程と、
を具備する音検出機能付き血圧測定方法。
【手続補正２】
【補正対象書類名】明細書
【補正対象項目名】０００８
【補正方法】変更
【補正の内容】
【０００８】
上記目的を達成するために、本発明に従う第１の形態の音検出機能付き血圧測定装置は、被測定者の血圧を測定する血圧測定部と、前記血圧測定部による血圧測定時に、前記被測定者が発する生体音を検出する音検出部と、前記血圧測定部が測定した血圧と前記音検出部が検出した前記生体音とが、時間情報により関係付けられて記録される記録部と、を具備し、前記音検出部は、音を検出するためのマイクロフォンを備え、前記マイクロフォンは、前記生体音として、前記被測定者の口から発せられるいびき、咳、くしゃみ、しゃっくり、寝言及び歯ぎしりのうち少なくとも１つを含み、かつ、測定される血圧値に影響を及ぼす生体音を検出し、前記血圧測定部は、時間間隔を空けた複数回の血圧測定を行う血圧測定モードを有し、前記血圧測定モードで血圧測定を行う際に、前記血圧測定毎の開始前に、前記マイクロフォンによる前記生体音の録音が開始される。
【手続補正３】
【補正対象書類名】明細書
【補正対象項目名】０００９
【補正方法】変更
【補正の内容】
【０００９】
本発明に従う第２の態様に係る音検出機能付き血圧測定装置は、前記被測定者に装着するカフを備え、前記マイクロフォンは、前記カフに回転調整機構を介して回転可能に取り付けられる。
【手続補正４】
【補正対象書類名】明細書
【補正対象項目名】００１０
【補正方法】変更
【補正の内容】
【００１０】
本発明に従う第３の形態の音検出機能付き血圧測定装置は、前記血圧測定装置と一体的に構成されるカフを備え、前記マイクロフォンは、前記血圧測定装置が上腕に装着された時に、前記被測定者の口に指向性が向くように、前記血圧測定装置または、一体的に構成された前記カフのいずれかに設けられる。
【手続補正５】
【補正対象書類名】明細書
【補正対象項目名】００１１
【補正方法】変更
【補正の内容】
【００１１】
本発明に従う第４の形態の音検出機能付き血圧測定装置の血圧測定部は、被測定者の血圧を測定する血圧測定過程と、前記血圧測定毎の開始前に開始され、血圧測定時に被測定者の口から発せられるいびき、咳、くしゃみ、しゃっくり、寝言及び歯ぎしりのうち少なくとも１つを含み、かつ、測定される血圧値に影響を及ぼす生体音を検出する音検出過程と、前記音検出過程で検出した前記生体音と前記血圧測定過程で測定した血圧とが時間により関係付けられて記録される記録過程と、を具備する。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明の第１の態様及び第４の態様の音検出機能付き血圧測定装置によれば、時系列的に血圧測定結果を示すと共に、音検出部のマイクロフォンにより少なくとも前記被測定者の口から発せられる、いびき、咳、くしゃみ、しゃっくり、寝言及び歯ぎしりを含み測定される血圧値に影響する生体音を拾い、この生体音を確認することで、測定された血圧値が高くなった要因を特定することができる。さらに、第１の形態の音検出機能付き血圧測定装置は、睡眠中の測定に任意の間隔を空けて複数の血圧測定を行っているため、電源の消費を低減させることができ、長時間に渡る血圧測定が可能となる。また連続的に血圧測定を行うことも可能である。
【手続補正９】
【補正対象書類名】明細書
【補正対象項目名】００１５
【補正方法】変更
【補正の内容】
【００１５】
本発明の第２の態様によれば、マイクロフォンの指向性を被測定者の口に向くように調整することができる。
【手続補正１０】
【補正対象書類名】明細書
【補正対象項目名】００１７
【補正方法】削除
【補正の内容】
【手続補正書】
【提出日】令和2年2月24日(2020.2.24)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御可能な遊技機において、
枠状の基枠部と、前記基枠部の前面側に位置する前枠部とを含む遊技機枠と、
前記遊技機枠の上部を装飾する上部装飾部と、
所定の表示手段と、
前記表示手段よりも上方に配されている演出手段の特定部分と、を備え、
前記上部装飾部は、
前記基枠部の上縁の高さ以下であるベース部と、前記ベース部よりも前方に位置する前面部と、を備え、
前記前面部の上端を前記基枠部の上縁の高さよりも高くしていて、
その下端部が後方に向かうに従って上方に位置するように形成されたものであり、
前記下端部のうち前側に位置する前側下端部分と、前記下端部のうち後側に位置する後側下端部分と、を備え、
前記前側下端部分は前記演出手段の特定部分よりも下方に位置している一方、前記後側下端部分は前記演出手段の特定部分よりも上方に位置していることにより、前記演出手段の特定部分を視認できるように構成されていることを特徴とする遊技機。
【請求項２】
請求項１に記載の遊技機において、
遊技球が流下可能な遊技領域を備え、
前記演出手段の特定部分は、前記遊技領域よりも上方に位置していることを特徴とする遊技機。
【手続補正２】
【補正対象書類名】明細書
【補正対象項目名】０００５
【補正方法】変更
【補正の内容】
【０００５】
しかしながら上記文献に記載の遊技機のように、近年の上部装飾部には、枠可動部材が配置されたり、大きな装飾部材や発光部材等が配置されることで、上部装飾部が大型化する傾向がある。そのため、上部装飾部の下端部により、演出手段の特定部分を視認難いおそれがあった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、演出手段の特定部分を視認し易くすることが可能な遊技機を提供することにある。
【手続補正４】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御可能な遊技機において、
枠状の基枠部と、前記基枠部の前面側に位置する前枠部とを含む遊技機枠と、
前記遊技機枠の上部を装飾する上部装飾部と、
所定の表示手段と、
前記表示手段よりも上方に配されている演出手段の特定部分と、を備え、
前記上部装飾部は、
前記基枠部の上縁の高さ以下であるベース部と、前記ベース部よりも前方に位置する前面部と、を備え、
前記前面部の上端を前記基枠部の上縁の高さよりも高くしていて、
その下端部が後方に向かうに従って上方に位置するように形成されたものであり、
前記下端部のうち前側に位置する前側下端部分と、前記下端部のうち後側に位置する後側下端部分と、を備え、
前記前側下端部分は前記演出手段の特定部分よりも下方に位置している一方、前記後側下端部分は前記演出手段の特定部分よりも上方に位置していることにより、前記演出手段の特定部分を視認できるように構成されていることを特徴とする遊技機である。
【手続補正５】
【補正対象書類名】明細書
【補正対象項目名】０００８
【補正方法】変更
【補正の内容】
【０００８】
本発明の遊技機によれば、演出手段の特定部分を視認し易くすることが可能である。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御可能な遊技機において、
枠状の基枠部と、前記基枠部の前面側に位置する前枠部とを含む遊技機枠を備え、
前記遊技機枠は、
当該遊技機枠の内部に設けられている所定の領域を視認可能にする窓部材と、
前記窓部材よりも上方に位置していて当該遊技機枠の上部を装飾する上部装飾部と、を備え、
前記上部装飾部は、所定の特定部分を前記窓部材の上方部分よりも上方に形成していることで、前記窓部材の上方部分の後方を視認できるように構成されていることを特徴とする遊技機。
【請求項２】
請求項１に記載の遊技機において、
前記上部装飾部は、
その下端部が後方に向かうに従って上方に位置するように形成されたものであり、
前記下端部のうち前側に位置する前側下端部分と、前記下端部のうち後側に位置する後側下端部分と、を備え、
前記前側下端部分が前記窓部材の上方部分よりも下方に位置している一方、前記特定部分としての前記後側下端部分が前記窓部材の上方部分よりも上方に位置しているものであることを特徴とする遊技機。
【請求項３】
請求項２に記載の遊技機において、
前記上部装飾部は、前記下端部の少なくとも一部を、後方に向かって斜め上方に延びる傾斜面にしていて、
前記傾斜面に沿って後方に向かって斜め上方に延びる仮想直線が、前記窓部材の上端位置と一致する又は略一致するように延びていることを特徴とする遊技機。
【手続補正２】
【補正対象書類名】明細書
【補正対象項目名】０００５
【補正方法】変更
【補正の内容】
【０００５】
しかしながら上記文献に記載の遊技機のように、近年の上部装飾部には、枠可動部材が配置されたり、大きな装飾部材や発光部材等が配置されることで、上部装飾部が大型化する傾向がある。そのため、上部装飾部の下端部により、窓部材の上方部分の後方を視認難いおそれがあった。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、窓部材の上方部分の後方を視認し易くすることが可能な遊技機を提供することにある。
【手続補正４】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御可能な遊技機において、
枠状の基枠部と、前記基枠部の前面側に位置する前枠部とを含む遊技機枠を備え、
前記遊技機枠は、
当該遊技機枠の内部に設けられている所定の領域を視認可能にする窓部材と、
前記窓部材よりも上方に位置していて当該遊技機枠の上部を装飾する上部装飾部と、を備え、
前記上部装飾部は、所定の特定部分を前記窓部材の上方部分よりも上方に形成していることで、前記窓部材の上方部分の後方を視認できるように構成されていることを特徴とする遊技機である。
【手続補正５】
【補正対象書類名】明細書
【補正対象項目名】０００８
【補正方法】変更
【補正の内容】
【０００８】
本発明の遊技機によれば、窓部材の上方部分の後方を視認し易くすることが可能である。
【誤訳訂正書】
【提出日】令和2年8月7日(2020.8.7)
【誤訳訂正１】
【訂正対象書類名】明細書
【訂正対象項目名】００３３
【訂正方法】変更
【訂正の内容】
【００３３】
好ましいことに、ケース２には、その上側内面６２を形成する同じ表面上にて、いくつかの空洞６０ａ、６０ｂがあり、各空洞６０ａ、６０ｂは、コンプレッサーの電子部品を受けるように構成している一体化されたハウジングを形成している。前記空洞６０ａ、６０ｂは、ケース２の内側ハウジング５０の内壁５２の、少なくとも上、及び、少なくとも側方、好ましくは、各側に、配置されている。このようにして、一体化されたハウジング、そして、したがって、これらの一体化されたハウジング内に配置された電子部品は、内壁５２と接触しているチャネル５４を流れる圧縮対象流体のできるだけ近くに配置され、これによって、前記圧縮対象流体は、前記電子部品によって発される熱を前記内壁５２を介して回復させることができる。
【誤訳訂正２】
【訂正対象書類名】明細書
【訂正対象項目名】００３７
【訂正方法】変更
【訂正の内容】
【００３７】
また、一体化されたハウジング、そして、特に、圧縮対象流体を流すチャネル５４に少なくとも部分的に沿って長手方向に広がっている一体化されたハウジングは、好ましくは長手方向に延在している、細長い材料から形成されたばね６６を備えることができ、これは、その一体化されたハウジング内に配置された電子部品４ａを内壁５２の方向にて一体化されたハウジングの壁に対向するように配置し続けるように構成している。